(57)【要約】【課題】リモコンを用いたユーザ操作入力における視認性・容易性が改善された入力ガイド表示操作システムを提供する。【解決手段】１つのキーでタッチ入力とプッシュ入力が可能なリモコンと、このリモコンによる指示に対応したＴＶが用いられる。このリモコンにタッチ入力がなされると（ＳＴ２０４イエス）、このタッチ操作に対応した第１の表示が行なわれる（ＳＴ３０８）。この第１の表示において、前記リモコンにプッシュ入力がなされると（ＳＴ２１０イエス）、第２の表示あるいは所定のアクションが行なわれる（ＳＴ３１２）。【選択図】  図９
2005328379.tif 000002
【特許請求の範囲】
【請求項１】
１つの指示入力部で複数種類の操作が指示可能な指示装置と、この指示装置による指示に対応した表示を行う表示装置を用いる方法において、
前記指示入力部に、前記複数種類の操作のうちの第１の操作がなされると、この第１の操作に対応した第１の表示を前記表示装置において行なわせ；
前記第１の表示において、前記指示入力部に、前記第１の操作とは異なる第２の操作がなされると、前記第１の表示に関連した第２の表示を行なわせるか、前記第２の操作に対応した動作を行なうように構成した表示操作方法。
【請求項２】
前記第１の操作が新たになされない状態が一定時間続くと、前記指示装置による指示に対応した表示を終了するように構成した請求項１に記載の方法。
【請求項３】
前記第１の表示が行なわれている状態での前記指示装置からの選択指示、あるいは前記第１の表示が行われている状態での所定時間経過により、前記第１の表示に対応した動作が実行されるように構成した請求項１に記載の方法。
【請求項４】
前記第１の表示に対応した動作が、この表示に対応した放送局の選択、あるいはこの表示に対応した文字入力を含むように構成した請求項２または請求項３に記載の方法。
【請求項５】
タッチ入力とプッシュ入力が可能な多機能キーを１以上持つ指示装置と併用されるものであって、この指示装置による指示に対応したオンスクリーン表示を行う表示部を備えるか、このような表示部に接続される機器において、
前記指示装置からの前記タッチ入力に応答して前記オンスクリーン表示の一部における表示方法を変更する第１の手段と；
前記指示装置からの前記プッシュ入力に応答して、前記タッチ入力に応答して表示方法が変更された前記オンスクリーン表示に関連した情報の表示を行なう第２の手段を具備する映像機器。
【請求項６】
前記タッチ入力に応答して表示方法が変更された前記オンスクリーン表示が行なわれている状態での前記指示装置からの選択指示、あるいは前記タッチ入力に応答して表示方法が変更された前記オンスクリーン表示が行われている状態での所定時間経過により、前記表示方法が変更されたオンスクリーン表示に対応した動作を実行する第３の手段をさらに具備する請求項５に記載の機器。
【請求項７】
前記映像機器は１以上の放送局を受信するテレビジョン受像機であり、前記指示装置はこのテレビジョン受像機を操作するリモートコントローラであり、前記第３の手段により、前記オンスクリーン表示を介して、受信すべき放送局が選局されるように構成した請求項６に記載の機器。
【請求項８】
前記映像機器は文字入力機能を持つテレビジョン受像機であり、前記指示装置はこのテレビジョン受像機を操作するリモートコントローラであり、前記第３の手段により、前記オンスクリーン表示を介して、前記文字入力がなされるように構成した請求項６または請求項７に記載の機器。
【請求項９】
オンスクリーン表示機能を持つ外部機器を遠隔操作するものであって、１つのキーにタッチセンサとプッシュセンサが設けられたダブルアクションキーを複数備えた遠隔操作装置において、
前記ダブルアクションキーのいずれかにキータッチがあると、そのキータッチに対応した箇所における前記オンスクリーン表示の見え方を変えさせる第１の指示を前記外部機器に送出し；
前記第１の指示により見え方が変わっている箇所に対応した前記ダブルアクションキーにキープッシュがあると、そのキーに対応した情報を前記オンスクリーン表示に出力させる第２の指示を前記外部機器に送出するように構成された遠隔操作装置。
【請求項１０】
所定の処理終了操作があると、あるいは新たな前記キータッチがないまま一定時間が経過すると、前記オンスクリーン表示を終了させる第３の指示を前記外部機器に送出するように構成された請求項９に記載の装置。
【発明の詳細な説明】
【技術分野】
【０００１】
この発明は、デジタルＴＶなどの映像機器における遠隔操作の操作性改善に関する。とくに、この操作性の改善が施された入力ガイド表示（グラフィカルユーザインターフェース：ＧＵＩ）の操作システム（方法、装置を含む）に関する。
【背景技術】
【０００２】
近年、民生用映像機器は、デジタル化に伴い多機能化が図られ、その操作が複雑化している。例えば、１台のデジタルＴＶで、地上／衛星アナログ放送、地上／衛星デジタル放送などの放送受信のほか、インターネット通信や種々なデジタル機器（ＤＶＤ−ＶＲレコーダ、パソコンなど）との連携操作が可能となっている。このような映像機器のユーザ操作（必要に応じて文字入力）には、通常リモコンが使用されるが、機器の多機能複雑化に応じて、リモコン操作も複雑化しており、リモコンの操作ボタンも増加の一途を辿っている。
【０００３】
限られたサイズのリモコンでは数の増えた操作ボタンの設置場所が不足するので、近年は、１つのキーに複数操作を兼務させたリモコンが出てきている。例えば、タッチパネルとそのパネル下の操作キーとの組み合わせで、１つのキーにタッチ（接触）する操作とプッシュ（押圧）する操作のダブルアクションが可能な二重キー構造リモートコントロール装置が考えられている（特許文献１参照）。しかし、ダブルアクション化したことで返って操作方法が複雑化し、慣れないユーザに対しては、操作性が良くなったとは必ずしもいえない。
【０００４】
一方、操作性改善のため、タッチパネルにユーザがタッチすると対応するメニュー画面が出画され、画面上でリモコン操作できる装置も考えられている（特許文献２参照）。特許文献２の装置では、リモコン本体に形成されている平板状タッチスイッチの任意の個所に触れると、この平板状タッチスイッチの中で分割されている操作エリアに１対１で対応した相似形のメニュー画面表示がなされる。この段階でチャンネルを選択するために平板状タッチスイッチの該当個所に触れた場合に、メニュー画面上で対応している項目の表示色がその他の項目表示色と異なるように制御される。すると、ユーザは、どのタッチスイッチに触れたのかが画面表示から目視で判別できるようになり、選択しようとしている項目を確認できる。
【０００５】
特許文献１および特許文献２の装置では、画面上でいかに接触の識別色を変えて表示させても、操作する手もとの位置で接触感覚が変わらないと、ボタン位置の感覚を覚えにくい。また、通常のタッチパネル構造は、平面状のパネルにＸ、Ｙ軸方向の電極を持たせているため、一般のＴＶやチューナ（セットトップボックス）等の凹凸のあるボタンを配置したリモコンには不向きである。その他、多様な選択枝を設けると操作ボタンが多くなる。また、仮に幾つかの操作機能をメモリに記憶しておき記憶した機能を操作ボタンで切り替え選択するように構成したとしても、その操作ボタン配置数は限定されるし、画面の機能入力待ち状態を確認してリモコンの操作ボタンを確認して実行キー操作する必要がある。この場合、慣れないユーザは画面とリモコン操作面との間で何度も視線を往復させることになり、必ずしも操作性が良いとは言えない。
【特許文献１】特開平６−６２４７８号公報
【特許文献２】特開平６−７８３８１号公報
【発明の開示】
【発明が解決しようとする課題】
【０００６】
上記タッチパネルによる画面表示やダブルアクションキー採用のリモコンにより、限られたスペース上の操作キーに多様な機能を持たせることができ、またキー操作に対応した画面表示を併用することでその操作性も従前よりは改善できる。しかしながら、さらなる多機能化に伴うキー操作の複雑化は、ユーザにとってはキー操作の視認性・容易性を悪くする一方である。
【０００７】
この発明は上記事情に鑑みなされたもので、その目的の１つは、多機能化に対応しつつも、ユーザ操作入力の視認性・容易性が改善された入力ガイド表示操作システムを提供することである。
【課題を解決するための手段】
【０００８】
この発明の一実施の形態に係る入力ガイド表示操作システムに適用される表示操作方法では、１つの指示入力部（リモコンキー２１０）で複数種類の操作（タッチ入力、プッシュ入力、クリック入力など）が指示可能な指示装置（マルチアクションキー付リモコン２００）と、この指示装置による指示に対応した表示（リモコンＧＵＩ）を行う表示装置（３００）が用いられる。この方法では、前記指示入力部（２１０）に前記複数種類の操作のうちの第１の操作（タッチ）がなされると（ＳＴ２０４イエス）、この第１の操作に対応した第１の表示（キータッチによる表示）を前記表示装置（３００）において行なわせる（ＳＴ３０８；ＳＴ３０８ａ）。また、前記第１の表示（キータッチによる表示）において、前記指示入力部（２１０）に前記第１の操作（タッチ）とは異なる第２の操作（プッシュ）がなされると（ＳＴ２１０イエス）、前記第１の表示に関連した情報を含む第２の表示を行なわせる（ＳＴ３１２；ＳＴ３１２ａ）。あるいは、第２の操作（プッシュ）に応じて、所定のアクション（選局など）を行わせる（ＳＴ３１２ｂ、ＳＴ３１２ｃ）。
【発明の効果】
【０００９】
１つの指示入力部（リモコンキー）で複数種類の操作（タッチ入力、プッシュ入力、クリック入力など）が可能なので、操作スペースが限られた指示装置（リモコン）でも多彩なユーザ操作ができる。そうした場合、操作内容が複雑化して、ユーザ操作入力の視認性・容易性が低下しがちであるが、第１の操作（タッチ）に対応した第１の表示と、第２の操作（プッシュ）に対応した第２の表示もしくはアクションを併用することにより、ユーザ操作入力の視認性・容易性を改善できる。
【００１０】
さらに、第１の操作（タッチ）および／または第２の操作（プッシュ）に対応して出画される表示を階層化する（例えば図１６のオンスクリーン表示階層から図１７のオンスクリーン表示階層へ）ことにより、ユーザ操作入力の視認性・容易性を維持したまま、さらなる操作の複雑化にも対応できる。
【発明を実施するための最良の形態】
【００１１】
（概要）
通常、ＴＶ（テレビジョン）等を視聴する場合には、視聴者（ユーザ）は画面から離れている。そのため、システムリモコンのように文字キーがリモコンに用意してある場合、文字入力するときは、リモコンのキー配置を視覚で判断してから、キーを押してＴＶ画面で入力された文字等を確認する必要がある。しかし、これではＴＶ画面とリモコンパネルとの間で頻繁な視線移動が必要となりユーザにとって入力操作が煩雑である。リモコンを使って文字入力等の操作をする場合は、画面から視線をそらさずに入力できた方が操作しやすい。また、インターネットをＴＶで表示させた状態で、画面上に文字列を表示させて選択する事もできるが、この場合にも同様な煩雑さがある。
【００１２】
上記のようなユーザ入力操作の煩雑さを低減するため、この発明の一実施の形態では、リモコンに、接触検出機能を持ったタッチ型のスイッチと押圧検出機能を持ったプッシュ型のスイッチを二重構造（二階建て構造）にしたボタン（照明を落とした暗い室内でもユーザがブラインドタッチで知覚できるよう凹および／または凸を持たせたボタンが望ましい）を配置する。このようなリモコンのボタン操作により、ＴＶ画面上に、リモコンのキー配置図形状を持ったＧＵＩをオンスクリーン表示（ＯＳＤ）させる。このＯＳＤ表示状態におけるＧＵＩ上で、ユーザが触れたボタン（ＧＵＩ上では一種のアイコン）の色、形状、周辺とのコントラスト、および／またはアイコンのアニメーションにより、操作されたボタンがどれであるのかを画面上からユーザが視覚で判るようにする。
【００１３】
さらに、各ボタンには再クリック（またはダブルクリック）のようなクリック検知機能をもたせることができる。その場合に、各ボタンに割り当てられたチャネルを画面上のリモコン配置図で示す（必要に応じてＧＵＩ上のリモコン配置図を階層的に切り替える）ことで、ユーザが各ボタンのチャネル設定を確認しながら、簡単なクリック操作により選局できるようにする。
【００１４】
以下、図面を参照しながらこの発明の一実施の形態について説明する。図１は、この発明の一実施の形態に係る入力ガイド表示操作システムを装備したデジタルＴＶ１００の構成を説明する図である。ＴＶアンテナ（アナログ地上放送用ＶＨＦ／ＵＨＦアンテナ、デジタル地上放送用ＵＨＦアンテナ、アナログ／デジタル衛星放送用ＢＳアンテナなど）１０２は、衛星および／または地上波デジタル放送チューナ部１０３に接続されている（アナログチューナの図示は省略）。チューナ部１０３で受信されたＭＰＥＧデジタル情報（ビデオ、オーディオ、サービス情報など）はＭＰＥＧデコーダ１０４でデコードされる。デコード前のＭＰＥＧデジタル情報はＩＥＥＥ１３９４インターフェース１０６を介して外部出力される。デコード後のビデオ信号分はビデオミキサ１０８に送られる。
【００１５】
ビデオミキサ１０８は、制御ＭＰＵ１２０からのＧＵＩ情報を、ＯＳＤ表示として、所定のコントラスト比（例えば５０％）で、デコーダ１０４からのビデオ信号にスーパーインポーズする。このスーパーインポーズには、フレームメモリ１１０が適宜利用される。こうしてＧＵＩ情報がＯＳＤ表示用にスーパーインポーズされたビデオ信号は、表示部（液晶、プラズマ、ＣＲＴその他のＴＶモニタ）３００に送られて、画面表示される。さらに、ＧＵＩ情報がＯＳＤ表示用にスーパーインポーズされたビデオ信号は、ＡＶ出力回路１１２においてデコード後のオーディオ信号と一緒にまとめられ、アナログＡＶ信号として外部出力される。この外部出力の映像端子としては、外部接続機器に応じて、コンポーネント出力端子（Ｄ１〜Ｄ５端子）、コンポジット同軸端子、あるいはＳ端子を用いることができる。音声端子には一般的な同軸端子を用いることができる。
【００１６】
制御ＭＰＵ１２０はネットワークコントローラ１２２に接続されており、このコントローラ１２２はインターフェース１２４を介してホームネットワーク回線に接続される。ここでは、一例として、家庭内のネットワーク回線に、イーサネット（登録商標）を利用している。このネットワークのルータ（図示せず）は、例えばブロードバンド対応のモデムを介してインターネットに接続されている。このルータは、複数のハブを持ち、これらのハブに、図示しないが、パーソナルコンピュータ（ＰＣ）、録画機器（ＤＶＤ−ＶＲレコーダ）、および外部チューナ（衛星および／または地上波デジタルチューナを内蔵した、セットトップボックスＳＴＢまたは別のデジタルＴＶ）を、ネットワーク接続（イーサ接続）することができる。この構成では、例えばウェブ上の電子番組表サイト（インターネットＥＰＧ）にアクセスして電子番組情報（ＥＰＧ情報）を取り込むことができる。
【００１７】
制御ＭＰＵ１２０は、種々な制御を実行するためのファームウエア（後述する図９〜図１３のフローチャートに対応する制御プログラムなど）を格納したＲＯＭ、種々な制御を実行する際に利用するデータおよび／またはパラメータを格納したＲＯＭ、ファームウエア実行時のワークエリアを提供するＲＡＭなどを含んで構成されている。このＭＰＵ１２０にはタイマ１２６およびリモコン受信部１２８が接続されている。外部のリモコン２００からのユーザ操作は、リモコン受信部１２８で受信されると、ＭＰＵ１２０に送られる。これにより、ＭＰＵ１２０は、ユーザからの遠隔操作に応じたＯＳＤ表示や機器制御を行なう。
【００１８】
図２は、図１のＴＶ１００で用いられるリモコン２００の構成例を説明する図であり、その内部回路構成を例示している。リモコンボタン２１０（この例ではボタン数はｉ×ｊ個）は、接触型ボタンとプッシュ型ボタンの二重構造をもち、ｉ行ｊ列のマトリクス状に配置されている。ここで、接触型ボタン（タッチセンサＲｓ）とプッシュ型ボタン（プッシュセンサＳＷ）はそれぞれ別の検出部を持っている。リモコンＩＣ２２０は接触型ボタンとプッシュ型ボタンの切り替わり検出部２２２を持っている。この検出部２２２は、例えば次のようにして構成できる。すなわち、接触型ボタンが押されたときの検知レベルとプッシュ型ボタンが押されたときの検知レベルに違いを設けておき、そのレベル差から接触型ボタンとプッシュ型ボタンのどちらが押されたのかを識別する。
【００１９】
このような構成の検出部２２２を経由して、それぞれのボタン２１０で検出された状態はリモコンＭＰＵ２２４で認識される。リモコンＭＰＵ２２４は、水晶発振部２３０の発振信号を分周器２３２で分周した信号をクロックとして動作しており、検出部２２２を介して検出されたボタンに該当するリモコン送信データをデータ記録部２２６から読み出し、読み出したリモコン送信データをデータ出力部２２８に送信する。すると、出力部２２８から赤外線発光ダイオード２４０に送信データに対応したパルス列の電流が流れ、このパルス列に対応したリモコン操作信号が図１のリモコン受信部１２８側に送信される。
【００２０】
図３は、図１または図２のリモコン２００におけるダブルアクションキー（二重構造ボタン）の具体例を説明する図である。各ボタン２１０ｉｊはブラインドタッチで知覚できるよう例えば凸状表面を持ち、各凸ボタンの直下にタッチセンサ（導電性樹脂などを用いた感圧抵抗素子Ｒｓ）が配置され、その下側にプッシュセンサ（タッチ以上の押圧力でオンする金属スイッチＳＷ）が配置されている。タッチセンサは、対応ボタンへの外力変化により素子Ｒｓのインピーダンスが変化することを検知することで、そのボタンへの接触を検出するように構成できる。
【００２１】
図４は、図１または図２のリモコン２００におけるダブルアクションキー（二重構造ボタン）の検出回路例を示している。ここでは、直流電源Ｖｏを抵抗Ｒ１とＲ２で分圧した基準電圧ＶｒｅｆがコンパレータＣＭＰの非反転入力に与えられ、直流電源Ｖｏを抵抗Ｒ３＋ＲｓとＲ４で分圧した比較電圧ＶｓがコンパレータＣＭＰの反転入力に与えられている。ボタンタッチがないときの感圧抵抗素子Ｒｓ（直流抵抗大）で得られるＶｓがＶｒｅｆより僅かに低いときは、コンパレータＣＭＰからの出力Ｖａはハイレベル（例えば＋５Ｖ）となっている。一方、ボタンタッチにより感圧抵抗素子Ｒｓの直流抵抗（広義には電気インピーダンス）が小さくなると、それで得られるＶｓがＶｒｅｆより高くなる。するとコンパレータＣＭＰからの出力Ｖａはローレベル（例えば＋１Ｖ）に変化し、この変化からボタンの接触（キータッチ）を検出できる。
【００２２】
また、直流電源Ｖｏは抵抗Ｒ５を介してスイッチＳＷに接続されている。スイッチＳＷがオフのときは、Ｒ５とＳＷとの接続点の電圧Ｖｂはハイレベル（例えば＋５Ｖ）となっている。ボタンプッシュによりスイッチＳＷがオンすると、電圧Ｖｂはローレベル（例えば０Ｖ）に変化するので、この変化からボタンの押圧（キープッシュ）を検出できる。キータッチが検出されたのかキープッシュが検出されたかの区別は、検出電圧Ｖａ、Ｖｂのローレベルの違い（上記例では＋１Ｖと０Ｖ）から行なうことができる。
【００２３】
図５は、図１のＴＶ１００におけるＧＵＩ表示例（その１）を説明する図である。この図は、接触型スイッチとプッシュ型スイッチの二重構造をもったリモコン本体２００において、接触型ボタンに接触した指に反応して、ＴＶ画面（表示部３００）にリモコン配置図が表示されて、ボタン接触が検出された状態を例示している。この時の画面表示は、リモコン２００の図形を模した物がベースとなるが、使用状態に応じてリモコン２００のボタン表記内容を切り替えることができる。ここで、使用状態とは、例えば、ＢＳ、ＣＳ、地上波デジタル／アナログ放送を視聴している場合、インターネットを使用している状況、文字入力等を必要とする状態等を指す。
【００２４】
図６は、図１のＴＶ１００におけるＧＵＩ表示例（その２）を説明する図である。この場合は、ユーザが接触ボタンを押した時に、そのボタンに割り当てられた文字列を表示するとともに、そのボタンの表示色を変更する（図６（ａ）の例では“あ”部分の色が変わる）。さらに接触を感知した個所のプッシュ型ボタンを押す事で、ボタンに割り当てられた文字を切り替えて表示することができる（図６（ｂ）の例では“あ”の文字表示が“い”に切り替わる）。または、文字列が表示されている状態でカーソルキーＣＵＲで選択文字を変更する事もできる。カーソル選択後、カーソルキーＣＵＲ中央の決定ボタンを選択すると、文字が決定される（例えば、図６（ａ）の状態でカーソルキーＣＵＲの中央に配置された決定ボタンに対応するリモコンキーをユーザがプッシュすると、“あ”が入力文字として決定される）。
【００２５】
もしくは、接触型ボタンが押された状態である一定時間が経過すると、入力文字が自動的に決定されるように構成することもできる。具体的には、図６（ａ）の状態でユーザがなにもしないまま例えば３０秒経過すると、“あ”が入力文字として自動的に決定される。その際の時間経過は、例えば図１のタイマ１２６をＭＰＵ１２０がモニタし続けることで、検知できる。
【００２６】
図７は、図１のＴＶ１００におけるＧＵＩ表示例（その３）を説明する図である。この図は、番組視聴中における番組選局時のリモコン配置図の表示例である。選局ボタンにユーザの指が接触すると、画面上のボタンの色が変化して、かつそのボタンに割り当てられたチャネルの放送内容が画面上に表示される（図７（ａ）または（ｂ）の左側吹き出し文字参照）。その状態からさらにブッシュボタンを押すと、そのボタンに割り当てられた放送番組が表示部３００に表示される。また、接触型のボタンが選択された状態になっていて画面上のボタンの色も変化したままの状態で、決定キー（カーソルキーＣＵＲの中央）が押された場合は、色の変化したボタンに該当する放送局の選局が実行される。
【００２７】
もしくは、接触型のボタンが選択された状態である一定時間が経過した場合に、選局が実行されるように構成することもできる。具体的には、図７（ａ）の状態でユーザがなにもしないまま例えば３０秒経過すると、“ＢＳ１０２”のサッカー放送が自動的に選局される。なお、図６、図７などでＯＳＤ表示に用いる文字のデータテーブルは、図１のＭＰＵ１２０内のパラメータＲＯＭに格納しておくことができる。
【００２８】
図８は、図１のＴＶ１００におけるＧＵＩ表示例（その４）を説明する図である。この図は、番組視聴中における番組選局時のリモコン配置図の他の表示例である。リモコン２００に割り当てられた各放送波のダイレクトキー（図８（ａ）の例では地上Ａ；図８（ｂ）の例ではＢＳ）が押された場合に、押されたキーに対応したリモコン配置図が画面上に表示される。具体的には、押されたダイレクトキーの放送波に対応した各局のダイレクト選局ボタン配置図（図８（ａ）の例では地Ａ１〜地Ａ１２；図８（ｂ）の例ではＢＳ１０１〜ＢＳ９５５）になって表示される。
【００２９】
その他、リモコン配置図のＯＳＤ表示方法としては、図７または図８のような割り当てがなされたダイレクトチャネル設定があった場合に、ユーザが各ダイレクト選局ボタンを操作することで最後に選局を行ったラストモードで、そのラストモードに対応するリモコン配置図を表示させる（一種のレジューム表示）ことも可能である。さらに、映画、スポーツ、音楽などのジャンル別の選択によって、各ボタンの選局チャネルを変更する事も可能である。具体的には、ジャンル設定を選択するボタンもしくはＧＵＩをユーザが選択したときに、その時に視聴できる該当チャンネル（例えばスポーツ番組のチャネル）を、各スポーツ毎にダイレクトボタンに割り当てることができる。そうすれば、各ユーザがお気に入りのスポーツ番組の選局が容易となり、その選局操作も短時間で済む。さらに、ジャンル設定を選択するボタンを再クリック（あるいはダブルクリック）することで、たとえばスポーツ→料理→アニメ→ドラマなどのそれぞれの選局可能な番組をダイレクトボタンに割り当てて表示することができる。このようにすれば利便性が向上する。
【００３０】
図９は、図１のＴＶ１００におけるリモコン操作の制御手順を説明するフローチャートである。また、図１４〜図２２は、図９の制御手順における表示例等を説明する図である。
【００３１】
図１、図２のリモコン２００には例えば図１４（ｂ）に示すような「お好みキー２１０ａ」が設けられており、ユーザがこのお好みキー２１０ａに始めてタッチすると、リモコンＧＵＩの開始が指示される。すなわち、ＧＵＩ指示キーがオンされると（ここでは、例えば図１５（ｂ）に示すようなお好みキー２１０ａのタッチ）（図９のステップＳＴ２００イエス）、リモコン２００からＴＶ１００のリモコン受信部１２８へ、リモコンＧＵＩ開始指示が送信される（ステップＳＴ２０２）。なお、ＧＵＩ指示キーはお好みキー２１０ａに限定されるものではなく、キータッチ検知機能があるリモコンキー（あるいはボタン）のいずれも、ＧＵＩ指示キーとして機能させることができる。
【００３２】
一方、リモコン２００により操作される被制御機器としてのＴＶ１００側の表示部３００では、電源オン後、通常の画面表示（例えば図１４（ａ））をしている（ステップＳＴ３００）。ここで、リモコン受信部１２８がリモコン２００からＧＵＩ開始指示を受信すると（ステップＳＴ３０２イエス）、その時点での通常画面表示の上に、ユーザ手元のリモコンのキー配置と同様な図形のリモコン画像（例えば図１５（ａ）の３０８Ａ）が、ＯＳＤにより出画される（ステップＳＴ３０４）。このリモコンＯＳＤは、その下の通常画像を完全に覆い隠すようにしてもよいが（その場合はリモコン画像のコントラスト１００％）、ここでは、リモコン画像を視認できる範囲で通常画面表示も残すために、リモコン画像のコントラストを５０％程度にして出画させている（図１５（ａ）では、リモコンＯＳＤ３０８Ａが、コントラスト５０％相当の半透明画像になっている）。
【００３３】
ここで、キータッチ検知機能があるリモコンキー（最初はお好みキー２１０ａ）に新たなタッチ（最初のタッチ）があったなら（ステップＳＴ２０４イエス）、リモコン２００からリモコン受信部１２８へ、タッチしたキーに対応する表示指示が送信される（ステップＳＴ２０８）。リモコン受信部１２８がリモコン２００からタッチキー対応表示指示を受信すると（ステップＳＴ３０６イエス）、キータッチ処理がなされ（ステップＳＴ３０８）、タッチキーに対応するＯＳＤ表示上のボタン図形（またはアイコン）の色などが変更される（図１５（ａ）参照）。これにより、ユーザは表示部３００の画面から目を離すことなく、どのリモコンキーにタッチしたのかを確認できる。
【００３４】
その後、どれかのリモコンキーが押されず（ステップＳＴ２１０ノー）、また新たなキータッチもないまま（ステップＳＴ２０４ノー）一定時間（例えば１分〜５分程度）が経過すると（ステップＳＴ２０６イエス）、リモコンＧＵＩを終了する指示が、リモコン２００からリモコン受信部１２８へ送信され（ステップＳＴ２１６）、リモコン２００側の制御ルーチンはスタンバイモードに入る。また、リモコン受信部１２８がリモコン２００からリモコンＧＵＩ終了指示を受信すると（ステップＳＴ３１４イエス）、リモコンＧＵＩのＯＳＤは消去され（ステップＳＴ３１６）、ＴＶ（被制御機器）１００側の制御ルーチンはその他の処理へ移行する。
【００３５】
一方、どれかのリモコンキーが押されると（ステップＳＴ２１０イエス）（図１６（ｂ）の例ではユーザがお好みキー２１０ａをプッシュ）、押されたキー（プッシュキー）に対応する表示指示が送信される（ステップＳＴ２１２）。リモコン受信部１２８がリモコン２００からプッシュキー対応表示指示を受信すると（ステップＳＴ３１０イエス）、キープッシュ処理がなされ（ステップＳＴ３１２）、表示部３００におけるリモコンＯＳＤ３０８Ｂが対応して変化する（図１６（ａ））。
【００３６】
その後、リモコン２００上の図示しない電源キーまたは予約録画キーのオンなどによりＧＵＩ処理の終了が指示されると（ステップＳＴ２１４イエス）、リモコンＧＵＩを終了する指示が送信され（ステップＳＴ２１６）、リモコン２００側の制御ルーチンはスタンバイモードに入る。また、リモコン受信部１２８がリモコン２００からリモコンＧＵＩ終了指示を受信すると（ステップＳＴ３１４イエス）、リモコンＧＵＩのＯＳＤは消去され（ステップＳＴ３１６）、ＴＶ（被制御機器）１００側の制御ルーチンはその他の処理へ移行する。ＧＵＩ処理が終了しない間（ステップＳＴ２１４ノー）は、リモコン２００のキータッチおよび／またはキープッシュがなされる毎に、ＴＶ１００側で、対応する処理（ステップＳＴ３０８、ＳＴ３１２）が実行される。
【００３７】
なお、図９の処理において、一番最初のリモコンキータッチでそのままリモコンＧＵＩの表示処理に入るようにすることも可能である。その場合は、一番最初のキータッチ（ステップＳＴ２００イエス）に対してはステップＳＴ３０６の判断を飛ばし、ステップＳＴ３０４のあと直ぐにステップＳＴ３０８の処理に入るようにすればよい。
【００３８】
図１０は、図９の制御手順におけるキータッチ処理（ステップＳＴ３０８）の具体例を説明するフローチャートである。図１０のキータッチ処理（ステップＳＴ３０８ａ）では、ユーザの指先がタッチしたキー（ボタンまたはカーソル）に対応するＯＳＤ表示のボタン（またはアイコン）の、色、枠（縁取り）、形、動き、および／またはコントラストを変更する。例えば、図１５（ｂ）のお好みボタン２１０ａにユーザがタッチすると、これに対応して、図１５（ａ）のお好みボタン２１０ａのＯＳＤ画像（またはアイコン）が目立つ色（明るい赤など）に変更される。また、ユーザのキー操作がないまま所定時間が経過したら、その時点における検出キー（例えば特定の放送局を指定するキー）に該当するアクション（選局）を自動的に実行することも、図１０の処理に含ませることができる。
【００３９】
図１１〜図１３は、図９の制御手順におけるキープッシュ処理（ステップＳＴ３１２）の具体例を説明するフローチャートである。図１１の処理例では、キータッチに対応したリモコンＧＵＩのＯＳＤ表示下（例えば図１６（ａ））でリモコンキーのプッシュがあると、プッシュされたキー（例えば図１６（ｂ）のお好みキー２１０ａ）に対応する新たなリモコンＧＵＩのＯＳＤ表示（例えば図１７（ａ）のチャネルダイレクト選局ボタン）３１２Ａが行われる（ステップＳＴ３１２ａ）。この図１６（ａ）から図１７（ａ）へのＯＳＤ表示の変化は、階層化されたＯＳＤ表示制御の下で行われる。
【００４０】
図１２の処理例では、あるキーがプッシュ（あるいは再クリックもしくはダブルクリック）されると、そのキー操作に対応する新たなチャネル選局がなされる（ステップＳＴ３１２ｂ）。例えば、図１８（ａ）のリモコンＯＳＤ３１２Ｂが表示された状態で図１８（ｂ）のリモコンキーＡ１にキータッチがあると、リモコンＯＳＤ３１２Ｂの地Ａ１ボタンの色が変更される（ここまではステップＳＴ３０８のキータッチ処理）。この状態で図１９（ｂ）のリモコンキーＡ１がプッシュされると、例えば地上アナログ放送の１ＣＨが選局され、図１９（ａ）のリモコンＯＳＤ３１２Ｃの背景のＴＶ受信画像（表示部３００の表示）が１ＣＨの画像に切り替わる。
【００４１】
図１３の処理例では、プッシュされたカーソルキーに対応するＯＳＤ表示の変化と、その状態での決定キープッシュによる対応アクションがなされる（ステップＳＴ３１２ｃ）。例えば、図２０（ｂ）のカーソルキーＣＵＲの何処かにキータッチがあると、リモコンＯＳＤは、対応した画面（図２０（ａ））に切り替わる。この状態で、カーソルキーＣＵＲの上下左右キー（ＣＵ、ＣＤ、ＣＬ、ＣＲ）のいずれかのキータッチに対応して、リモコンＯＳＤ３１２Ｄ上のボタンの色変化部分が移動する（ここまではステップＳＴ３０８のキータッチ処理）。その際、このカーソル操作時に操作できない無効キーについては、無効キーの表示をゴースト化したり特別な色に変えたり、×マークを上書き表示するなどして、ユーザが操作時に混乱しないように配慮することができる。
【００４２】
以上の状態で特定のカーソルキー（例えば図２１（ｂ）の下側（↓側）カーソルＣＤ）がプッシュされると、表示部３００のリモコンＯＳＤ３１２Ｅ（図２１（ａ））は、その時点で「有効なものとして」色が変わっているボタンに対応する表示（例えばお好みチャネルのダイレクトキー配置を含むＧＵＩページ…図２２（ａ）のＯＳＤ表示３１２Ｆなど）に変化する（ＧＵＩの表示ページ変更のアクション実行）。この状態で再びキータッチにより所望のボタンの色を変えてそのボタンをさらにプッシュすると、プッシュしたボタンのアクション（選局など）が実行されることになる。
【００４３】
（実施の形態のまとめ）
１．リモコンにタッチ接触検出機能を持ったボタン型スイッチとプッシュ型スイッチを二重構造にしたボタン（ブラインドタッチを実現するため凹および／または凸を設けたボタンであることが望ましい）を配置し、ＴＶ画面上にリモコンの配置図の形状を持ったＧＵＩをＯＳＤ表示させる。この表示状態で、ユーザが触れたボタンを、ＧＵＩ上で、色や形を変えて視覚で判るようにする。
【００４４】
２.ＧＵＩ上のリモコン配置図には、リモコンのボタン表記そのものを表示する機能と、そのボタンに割り当てられた選局番組がわかるように表示する機能と、ボタンをさらに押す事でそのボタンに割り当てられた番組の表示が切り替わるような機能（階層的に切り替わる表示機能）が付与されている。このＧＵＩ上にボタンの選局情報が表示されている状態で決定キーを押した時に、選局番組を切り替えるように構成する。
【００４５】
３．上記の機能で各ボタンに割り当てられた番組が表示された状態で、かつタッチ接触検出機能を持ったボタン型スイッチが機能している場合に、ある一定時間、プッシュ型スイッチが切り替えられない場合は、最後にプッシュ型スイッチで選局表示された機能を自動的に実行する。
【００４６】
４.ＴＶを視聴しているときリモコンボタンには放送チャネルのダイレクト選局ボタン割り当てられているが、インターネット（ＷＷＷ）やメール機能を使用する際に、リモコンに割り当てられた文字入力機能を使う必要があるＧＵＩになった場合には、各ボタンに割り当てられた文字が各ボタンの表示位置に表示されて入力できるようになる。
【００４７】
５．タッチ（接触）検出機能を持ったボタン型スイッチでタッチ検出後、一定時間以内に新たなタッチ検出がなされないとき（例えばユーザがリモコンを手元から離し一定時間以上放置した場合）、ＴＶ画面上のＧＵＩのＯＳＤ表示を自動的に消す。このＯＳＤ表示を消したあと、再びタッチ検出があれば、ＴＶ画面上にＧＵＩのＯＳＤ表示を再開する。この場合、ＯＳＤ表示が自動的に消される直前のＯＳＤ表示状態を記憶しておけば（レジューム機能）、再開されたＯＳＤ表示は、消される直前の状態に自動的に戻る。ここで、上記「自動的に消される直前のＯＳＤ表示状態」の記憶は、図１のＭＰＵ１２０内ワークＲＡＭ、あるいは図示しないフラッシュメモリ（もしくはバッテリバックアップされたＳＲＡＭ）を用いて行なうことができる。一方、ユーザが意図的にＧＵＩのＯＳＤ表示を終了した場合は、次にＧＵＩのＯＳＤ表示をする場合は、デフォルトのイニシャルＯＳＤ表示となる。この「デフォルトのイニシャルＯＳＤ表示」のデータは、例えば図１のＭＰＵ１２０内パラメータＲＯＭに格納しておくことができる。
【００４８】
（実施の形態の効果）
一般的なＴＶやチューナ等のリモコンにおいて、凹凸のあるボタンにタッチ検出機能を持たせることで、ボタン配置の認識精度の向上が見込まれる。また、タッチ検出機能とプッシュ機能の二重構造を採用することにより、画面上でタッチ検出されたボタン機能で選択表示された選局番組を、プッシュ型ボタンをオンすることで選局実行できるようになる。さらに、タッチ検出機能で画面上に表示させるボタンには、ダイレクト選局機能の他に再クリック選局機能（例えばクリックする毎に選局対象が切り替わる機能）を割り当てることもでき、それにより、ダイレクトキーに割り当てられた各放送系の番組を短時間で選局できるようにできる。
【００４９】
なお、この発明は上記した実施の形態そのままに限定されるものではなく、実施段階ではその要旨を逸脱しない範囲で構成要素を種々変形して具体化することができる。
【００５０】
例えば、この発明は、パーソナルコンピュータ上のソフトウエアで仮想的なリモコン＋ＴＶを構成している場合においても、実施できる。この場合、パーソナルコンピュータのモニタ上にＧＵＩ表示されたリモコンのボタン操作には、マウスを利用できる。具体的には、マウスポインタがタッチ／プッシュのダブルアクションキーのアイコン上にきたときはそのポインタ下のキーがタッチされたものとして処理を行い、その状態でマウスボタンをクリックまたはダブルクリックするとそのボタンがプッシュされたものとして処理を行なうことができる。また、携帯電話の内部ＭＰＵなどに図９の「リモコン側ＧＵＩ処理」に対応するファームウエアをインストールして、携帯電話をリモコン代わりに利用することもできる。
【００５１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良い。
【図面の簡単な説明】
【００５２】
【図１】この発明の一実施の形態に係る入力ガイド表示操作システムを装備したデジタルＴＶを説明する図。
【図２】図１のＴＶで用いられるリモコンの構成の一例を説明する図。
【図３】図２のリモコンにおけるダブルアクションキー（二重構造ボタン）の具体例を説明する図。
【図４】図２のリモコンにおけるダブルアクションキー（二重構造ボタン）の検出回路例を説明する図。
【図５】図１のＴＶにおける表示例（その１）を説明する図。
【図６】図１のＴＶにおける表示例（その２）を説明する図。
【図７】図１のＴＶにおける表示例（その３）を説明する図。
【図８】図１のＴＶにおける表示例（その４）を説明する図。
【図９】図１のＴＶにおけるリモコン操作の制御手順を説明するフローチャート図。
【図１０】図９の制御手順におけるキータッチ処理の具体例を説明するフローチャート図。
【図１１】図９の制御手順におけるキープッシュ処理の具体例（その１）を説明するフローチャート図。
【図１２】図９の制御手順におけるキープッシュ処理の具体例（その２）を説明するフローチャート図。
【図１３】図９の制御手順におけるキープッシュ処理の具体例（その３）を説明するフローチャート図。
【図１４】図９の制御手順における表示例（その１）を説明する図。
【図１５】図９の制御手順における表示例（その２）を説明する図。
【図１６】図９の制御手順における表示例（その３）を説明する図。
【図１７】図９の制御手順における表示例（その４）を説明する図。
【図１８】図９の制御手順における表示例（その５）を説明する図。
【図１９】図９の制御手順における表示例（その６）を説明する図。
【図２０】図９の制御手順における表示例（その７）を説明する図。
【図２１】図９の制御手順における表示例（その８）を説明する図。
【図２２】図９の制御手順における表示例（その９）を説明する図。
【符号の説明】
【００５３】
１００…入力ガイド表示装置及びリモートコントロールシステムを備えたデジタルＴＶ；１２０…制御ＭＰＵ（ＯＳＤ表示方法変更制御手段／関連情報表示制御手段／ＯＳＤ表示に対応した動作の実行制御手段）；２００…遠隔操作装置（ダブルアクションキーを備えたリモートコントローラ）；２１０…指示入力部（リモコンキーあるいはリモコンボタン）；３００…表示装置（リモコンＧＵＩのＯＳＤ表示を行なうことのできる表示部）；Ｒｓ…タッチセンサ（導電性樹脂などを用いた感圧抵抗素子）；ＳＷ…プッシュセンサ（タッチ以上の押圧力でオンするスイッチ）。
【図１】
2005328379.tif 000003
【図２】
2005328379.tif 000004
【図３】
2005328379.tif 000005
【図４】
2005328379.tif 000006
【図５】
2005328379.tif 000007
【図６】
2005328379.tif 000008
【図７】
2005328379.tif 000009
【図８】
2005328379.tif 000010
【図９】
2005328379.tif 000011
【図１０】
2005328379.tif 000012
【図１１】
2005328379.tif 000013
【図１２】
2005328379.tif 000014
【図１３】
2005328379.tif 000015
【図１４】
2005328379.tif 000016
【図１５】
2005328379.tif 000017
【図１６】
2005328379.tif 000018
【図１７】
2005328379.tif 000019
【図１８】
2005328379.tif 000020
【図１９】
2005328379.tif 000021
【図２０】
2005328379.tif 000022
【図２１】
2005328379.tif 000023
【図２２】
2005328379.tif 000024